(57)【要約】【課題】複数の無線リンクを含む無線アクセス伝送路へのハンドオーバ方法を提供する。【解決手段】無線端末が、自端末が終端する第１の無線リンクの品質が、その基準を満たしているか否かを判定する第１のステップと、第１の無線リンクの品質が、その基準を満たしている場合、無線端末が、無線リンクを終端する中継装置から、ネットワーク側のリンク種別と、無線リンクである場合にはその品質を取得することを、第１の無線リンクの対向側終端装置である中継装置から順に、ネットワーク側リンクが有線リンクとなるまで、または、無線リンクの品質が、その基準を満たさなくなるまで行う第２のステップと、第２のステップで、中継装置のネットワーク側が有線リンクとなった場合に、ハンドオーバ制御を行う第３のステップとを備えている。【選択図】図２
2009027227.tif 000002
【特許請求の範囲】
【請求項１】
ネットワークとの接続に使用する無線アクセス伝送路であって、中継装置及び無線端末で終端される、無線端末側から順に第１から第Ｎの無線リンクにより構成されている無線アクセス伝送路、ここで、Ｎは２以上の整数、にハンドオーバを行う無線端末であって、
第１の無線リンクの品質が、その基準を満たしているか否かを判定する第１の手段と、
第１の無線リンクの品質が、その基準を満たしている場合、第２から第Ｎの無線リンクの品質が、それぞれの基準を満たしているか否かを判定する第２の手段と、
第２の手段による判定が基準を満たしている場合に、前記無線アクセス伝送路にハンドオーバする第３の手段と、
を備えており、
第２の手段は、第Ｋの無線リンク、ここで、Ｋは２以上でＮ以下の整数、の品質を、第Ｋの無線リンクと第Ｋ−１の無線リンクを終端している中継装置から取得し、第Ｋの無線リンクの品質が、その基準を満たしているときに、第Ｋ＋１の無線リンクの品質を取得することを、Ｋ＝２からＮまで繰り返すことにより判定する、
無線端末。
【請求項２】
第１の手段は、第１の無線リンクを終端する中継装置と、他の無線端末との無線信号の送受信を監視することで、第１の無線リンクの品質を推定する、
請求項１に記載の無線端末。
【請求項３】
第１の手段は、無線信号の受信状況と得られた品質との関係の履歴を保持し、第１の無線リンクを終端する中継装置からの無線信号の受信状況と該履歴に基づき、第１の無線リンクの品質を推定する、
請求項１に記載の無線端末。
【請求項４】
請求項１から３のいずれか１項に記載の無線端末と、ネットワークと、該無線端末とネットワークとを接続する無線アクセス伝送路とを含む無線システムであって、
無線アクセス伝送路の少なくとも１つが、中継装置及び無線端末により終端される複数の無線リンクにより構成されており、
無線アクセス伝送路に含まれる中継装置の１つは、ネットワーク側無線リンクを確立したときの、該ネットワーク側無線リンクの対向側終端装置である中継装置が送信する無線信号の受信状況と、得られた品質との関係の履歴を保存する手段と、無線端末からネットワーク側無線リンクの品質の問い合わせを受信した場合、問い合わせ受信時の、該対向側終端装置である中継装置が送信する無線信号の受信状況と、該履歴に基づき、無線リンクを確立することなく品質の推定を行い、推定した品質を無線端末に送信する手段とを備えている、
無線システム。
【請求項５】
無線端末と、ネットワークと、ネットワークに接続する管理装置と、ネットワークと無線端末とを接続する無線アクセス伝送路とを含む無線システムであって、
無線アクセス伝送路の少なくとも１つが、中継装置及び無線端末により終端される複数の無線リンクにより構成されており、
各中継装置は、ネットワーク側無線リンクの品質情報を管理装置に送信し、
管理装置は、各中継装置のネットワーク側無線リンクの品質情報を蓄積し、無線端末からハンドオーバ可否の問い合わせを受信した場合、蓄積している品質情報に基づきハンドオーバ可否を判定する、
無線システム。
【請求項６】
各無線端末又は無線端末と対向する各中継装置は、無線端末が終端する第１の無線リンクの品質情報を管理装置に送信し、
管理装置は、各第１の無線リンクの品質情報を、終端する中継装置に関連付けて蓄積し、無線端末からハンドオーバ可否の問い合わせを受信した場合、該無線端末が終端する第１の無線リンクの品質を、該無線端末と対向する中継装置に関連付けられている品質情報から判定する、
請求項６に記載に無線システム。
【請求項７】
１つ以上の無線リンクで構成される無線アクセス伝送路への無線端末によるハンドオーバ方法であって、
無線端末が、自端末が終端する第１の無線リンクの品質が、その基準を満たしているか否かを判定する第１のステップと、
第１の無線リンクの品質が、その基準を満たしている場合、無線端末が、無線リンクを終端する中継装置から、無線端末とは逆側であるネットワーク側のリンク種別と、無線リンクである場合にはその品質を取得することを、第１の無線リンクの対向側終端装置である中継装置から順に、ネットワーク側リンクが有線リンクとなるまで、または、無線リンクの品質が、その基準を満たさなくなるまで行う第２のステップと、
第２のステップで、中継装置のネットワーク側が有線リンクとなった場合に、ハンドオーバ制御を行う第３のステップと、
を備えているハンドオーバ方法。
【発明の詳細な説明】
【技術分野】
【０００１】
本発明は、無線アクセス伝送路のハンドオーバ技術に関し、より詳しくは、中継装置により終端される複数の無線リンクにより構成されている無線アクセス伝送路へのハンドオーバ技術に関する。
【背景技術】
【０００２】
従来から様々な無線システムが開発され、サービスの提供が行われている。例えば、携帯電話システムとも呼ばれる移動通信システムや、ＰＨＳ（Ｐｅｒｓｏｎａｌ  Ｈａｎｄｙｐｈｏｎｅ  Ｓｙｓｔｅｍ）システムは、通信エリアがほぼ全国に広がり、端末の小型化も進んだことにより、近年、著しく普及している。また、移動通信システムのエリア外となる場所、例えば、船舶・航空機内では、衛星経由の通信が可能となっている。
【０００３】
更に、通信エリアが限定的であるものの、無線ＬＡＮ（Ｌｏｃａｌ  Ａｒｅａ  Ｎｅｔｗｏｒｋ）機能が、多くのノート型パーソナルコンピュータに標準装備されており、家庭内のみならず、例えば、空港や喫茶店等におけるインターネット接続用として利用が伸びている。
【０００４】
これら、各無線システムを単独利用するのではなく、異なる無線システムを互いに連携させたシステム（以後、無線ハイブリッドシステムと呼ぶ。）の検討が進んでいる。例えば、移動通信システムと無線ＬＡＮによる無線ハイブリッドシステムの場合、その利用者は、現在いる場所や、要求する通信速度に応じて接続する無線アクセス伝送路の選択を行う。現在のところ、通信速度に関しては無線ＬＡＮの方が高速であるため、無線ＬＡＮと接続可能であるならば無線ＬＡＮに接続し、それ以外の場所においては移動通信システムに接続することが一般的である。
【０００５】
これら無線ハイブリッドシステムにおいて、シームレスに通信を継続するためには、異なる無線システムによる無線アクセス伝送路間でのハンドオーバが必要となる。このため、特許文献１には、移動通信システムの１つであるＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）システムと、無線ＬＡＮによる無線ハイブリッドシステムにおけるハンドオーバ方法が記載されている。特許文献１によると、無線端末は、受信無線信号品質に基づいて、接続先無線アクセス伝送路を決定し、ネットワークにあるハンドオーバ制御装置と連携してハンドオーバを実行する。
【０００６】
【特許文献１】特開２００４−２６０４４４号公報
【発明の開示】
【発明が解決しようとする課題】
【０００７】
特許文献１におけるハンドオーバは、図８（ａ）に示す様に、ネットワークへの無線アクセス伝送路が、単一の無線リンクで構成されている無線ハイブリッドシステムを対象としている。例えば、図８（ｂ）に示す様に、ネットワークへの無線アクセス伝送路を、アクセスポイント（ＡＰ）を介して、無線ＬＡＮリンクと、移動通信リンクとにより、すなわち、複数の異なる無線システムによる無線リンクで構成することを考えた場合、無線端末は、自端末が終端する無線リンク以外の無線リンクの品質を測定できないため特許文献１の構成を適用することはできない。
【０００８】
したがって、本発明は、複数の無線リンクを含む無線アクセス伝送路へのハンドオーバ方法、システム及び該方法に用いられる無線端末を提供することを目的とする。
【課題を解決するための手段】
【０００９】
本発明における無線端末によれば、
ネットワークとの接続に使用する無線アクセス伝送路であって、中継装置及び無線端末で終端される、無線端末側から順に第１から第Ｎの無線リンクにより構成されている無線アクセス伝送路、ここで、Ｎは２以上の整数、にハンドオーバを行う無線端末であって、第１の無線リンクの品質が、その基準を満たしているか否かを判定する第１の手段と、第１の無線リンクの品質が、その基準を満たしている場合、第２から第Ｎの無線リンクの品質が、それぞれの基準を満たしているか否かを判定する第２の手段と、第２の手段による判定が基準を満たしている場合に、前記無線アクセス伝送路にハンドオーバする第３の手段とを備えており、第２の手段は、第Ｋの無線リンク、ここで、Ｋは２以上でＮ以下の整数、の品質を、第Ｋの無線リンクと第Ｋ−１の無線リンクを終端している中継装置から取得し、第Ｋの無線リンクの品質が、その基準を満たしているときに、第Ｋ＋１の無線リンクの品質を取得することを、Ｋ＝２からＮまで繰り返すことにより判定することを特徴とする。
【００１０】
本発明の無線端末における他の実施形態によれば、
第１の手段は、第１の無線リンクを終端する中継装置と、他の無線端末との無線信号の送受信を監視することで、第１の無線リンクの品質を推定することも好ましい。
【００１１】
また、本発明の無線端末における他の実施形態によれば、
第１の手段は、無線信号の受信状況と得られた品質との関係の履歴を保持し、第１の無線リンクを終端する中継装置からの無線信号の受信状況と該履歴に基づき、第１の無線リンクの品質を推定することも好ましい。
【００１２】
本発明における無線システムによれば、
前記無線端末と、ネットワークと、該無線端末とネットワークとを接続する無線アクセス伝送路とを含む無線システムであって、無線アクセス伝送路の少なくとも１つが、中継装置及び無線端末により終端される複数の無線リンクにより構成されており、無線アクセス伝送路に含まれる中継装置の１つは、ネットワーク側無線リンクを確立したときの、該ネットワーク側無線リンクの対向側終端装置である中継装置が送信する無線信号の受信状況と、得られた品質との関係の履歴を保存する手段と、無線端末からネットワーク側無線リンクの品質の問い合わせを受信した場合、問い合わせ受信時の、該対向側終端装置である中継装置が送信する無線信号の受信状況と、該履歴に基づき、無線リンクを確立することなく品質の推定を行い、推定した品質を無線端末に送信する手段とを備えていることを特徴とする。
【００１３】
本発明における無線システムにおける他の実施形態によれば、
無線端末と、ネットワークと、ネットワークに接続する管理装置と、ネットワークと無線端末とを接続する無線アクセス伝送路とを含む無線システムであって、無線アクセス伝送路の少なくとも１つが、中継装置及び無線端末により終端される複数の無線リンクにより構成されており、各中継装置は、ネットワーク側無線リンクの品質情報を管理装置に送信し、管理装置は、各中継装置のネットワーク側無線リンクの品質情報を蓄積し、無線端末からハンドオーバ可否の問い合わせを受信した場合、蓄積している品質情報に基づきハンドオーバ可否を判定することを特徴とする。
【００１４】
また、本発明における無線システムにおける他の実施形態によれば、
各無線端末又は無線端末と対向する各中継装置は、無線端末が終端する第１の無線リンクの品質情報を管理装置に送信し、管理装置は、各第１の無線リンクの品質情報を、終端する中継装置に関連付けて蓄積し、無線端末からハンドオーバ可否の問い合わせを受信した場合、該無線端末が終端する第１の無線リンクの品質を、該無線端末と対向する中継装置に関連付けられている品質情報から判定することも好ましい。
【００１５】
本発明におけるハンドオーバ方法によれば、
１つ以上の無線リンクで構成される無線アクセス伝送路への無線端末によるハンドオーバ方法であって、無線端末が、自端末が終端する第１の無線リンクの品質が、その基準を満たしているか否かを判定する第１のステップと、第１の無線リンクの品質が、その基準を満たしている場合、無線端末が、無線リンクを終端する中継装置から、無線端末とは逆側であるネットワーク側のリンク種別と、無線リンクである場合にはその品質を取得することを、第１の無線リンクの対向側終端装置である中継装置から順に、ネットワーク側リンクが有線リンクとなるまで、または、無線リンクの品質が、その基準を満たさなくなるまで行う第２のステップと、第２のステップで、中継装置のネットワーク側が有線リンクとなった場合に、ハンドオーバ制御を行う第３のステップとを備えていることを特徴とする。
【発明の効果】
【００１６】
ハンドオーバ対象の無線アクセス伝送路が複数の無線リンクで構成されていたとしても、無線アクセス伝送路の品質を考慮したハンドオーバ適否の判断が可能になる。また、無線リンクの確立前に、無線リンクの対向側終端装置が送受信する信号を監視することにより品質推定を行うことで、不必要な無線リソースの消費を防ぐことができる。
【００１７】
更に、無線端末にてハンドオーバ可否を判定する場合、ハンドオーバに伴うネットワークとの情報の送受を抑えることができ、ハンドオーバ可否の判定までに要する時間を短縮することが可能になる。
【発明を実施するための最良の形態】
【００１８】
本発明を実施するための最良の実施形態について、以下では図面を用いて詳細に説明する。
【００１９】
図１は、本発明による無線ハイブリッドシステムのシステム構成図である。図１によると、システムは、無線端末１と、中継装置２、３及び４と、ネットワーク５とを備えている。ここで、無線端末１は、少なくとも２種類の無線システムに対応する無線インタフェースを有しており、必要に応じてネットワーク５への無線アクセス伝送路のハンドオーバ、すなわち、切替えを行う。
【００２０】
また、本発明による中継装置は、無線端末側に無線インタフェースと、ネットワーク側に有線又は無線インタフェースを有している。図１において、中継装置２は、両側に無線インタフェースを、中継装置３及び４は、無線端末側に無線インタフェースを、ネットワーク側に有線インタフェースを有している。無線アクセス伝送路は、ネットワーク側に有線インタフェースを有する１つの中継装置と無線端末１とにより、あるいは、ネットワーク側に有線インタフェースを有する１つの中継装置と無線端末１と、その間に配置されて、異なる無線リンクの中継を行う両側に無線インタフェースを有する１つ以上の中継装置で構成される。
【００２１】
以下、無線端末１が無線ＬＡＮと移動通信システムに対応する無線インタフェースを有しており、中継装置３及び４が移動通信システムの基地局装置であり、中継装置２が無線端末１との接続用として無線ＬＡＮに対応するインタフェースを、中継装置３との接続用として移動通信システムに対応するインタフェースを有しており、移動通信リンク６による無線アクセス伝送路により中継装置４を介してネットワーク５に接続している無線端末１が、無線ＬＡＮリンク７及び移動通信リンク８による無線アクセス伝送路にハンドオーバする形態にて説明を行う。
【００２２】
なお、移動通信リンク６及び８は、移動通信システムの規定に従う無線リンクであり、無線ＬＡＮリンク７は無線ＬＡＮシステムの規定に従う無線リンクであり、図１の符号１０は、中継装置３及び４とネットワーク５とを接続する有線リンクである。また、無線リンクの品質情報として無線リンクで得られる速度を使用する形態にて説明する。
【００２３】
図２は、本発明による無線端末１のブロック図である。図２によると無線端末１は、無線通信部１１と、制御部１２と、無線通信部１３と、品質推定部１４とを備えている。本実施形態において、無線通信部１１は、移動通信システムの規定に従う無線通信処理を行い、無線通信部１３は、無線ＬＡＮの規定に従う無線通信処理を行う。制御部１２は、後述するハンドオーバの制御処理を行い、品質推定部１４は、ハンドオーバ先候補である中継装置２と接続した場合における無線ＬＡＮリンク７のスループットを推定する。
【００２４】
以下、品質推定部１４における無線ＬＡＮリンク７の速度推定について説明する。図６は、無線ＬＡＮリンクの速度推定を説明する図である。無線ＬＡＮにおいて、送信データを有する無線端末は、アクセスポイント装置にＲＴＳを送信し、アクセスポイント装置からＣＴＳを受信することにより送信権を獲得してデータ送信を行う。無線ＬＡＮは、１つのアクセスポイント装置と複数の無線端末が１つの無線リンクを共用するものであるため、他の無線端末は、ＲＴＳやＣＴＳを受信すると、ＲＴＳやＣＴＳで指定されるＮＡＶ時間だけデータ送信を保留する。
【００２５】
したがって、一定時間内におけるＮＡＶ時間を測定することにより、つまり、アクセスポイント装置と他の無線端末が送受信する無線信号を監視することにより、自端末が送受信に使用できる時間の比率を求めることができ、これにより、無線ＬＡＮリンク７で得られる速度、すなわち、スループットを推定することができる。なお、スループットは、時間帯等による変動するため、繰り返し測定を実施して平均値等を用いることが好ましい。
【００２６】
図３は、本発明による中継装置２のブロック図である。図３によると中継装置２は、無線通信部２１と、制御部２２と、無線通信部２３と、品質推定部２４と、履歴蓄積部２５とを備えている。本実施形態において、無線通信部２１は、無線ＬＡＮの規定に従い無線端末１と無線ＬＡＮリンク７を確立して無線通信を行い、無線通信部２３は、移動通信システムの規定に従い、中継装置３と移動通信リンク８を確立して無線通信を行い、制御部２２は、中継装置２の各部制御と、無線通信部２１及び２３が復調するデータ信号の中継処理を行う。
【００２７】
履歴蓄積部２５は、過去に移動通信リンク８を確立したときの、ＣＩＲ（Ｃａｒｒｉｅｒ  ｔｏ  Ｉｎｔｅｒｆｅｒｅｎｃｅ  Ｒａｔｉｏ）値と、そのときに得られた速度との履歴を保存しており、品質推定部２４は、移動通信システムの基地局装置である中継装置３が送信するキャリア信号からＣＩＲ値を求め、履歴蓄積部２５に蓄積されたＣＩＲ値と速度との関係の履歴に基づき、移動通信リンク８の確立前に、移動通信リンク８で得られる通信速度を推定する。なお、中継装置３及び４の様に、ネットワーク５側が有線リンクを終端する中継装置の場合、無線通信部２３が有線通信部となり、品質推定部２４及び履歴蓄積部２５は必要ない。
【００２８】
本実施形態における中継装置２は、無線ＬＡＮのアクセスポイント機能と、移動通信システムの端末機能とを併せ持ったものであり、現在市販されている無線ＬＡＮのアクセスポイント装置とほぼ同じ大きさにて実現可能である。つまり、本発明による中継装置２は、移動通信システムの基地局装置の様に据付を行う必要はなく、簡易にその置き場所を移動させることは可能である。しかしながら、実際のシステムにおいては、それ程頻繁に移動させるものではないため、半固定的に、つまり、ほぼ同じ設置場所にて使用されるものと考えることができる。したがって、移動通信リンク８で得られる品質を精度高く推定することが可能である。
【００２９】
図７は、本発明によるハンドオーバ方法のフローチャートである。無線端末１は、移動通信リンク６の品質劣化、例えば、受信信号レベルの低下や、スループットの低下（Ｓ７１）により、ハンドオーバ先となる無線リンクを探索する。ここでは、中継装置２を探索したものとする。無線端末１の制御部１２は、品質推定部１４が推定する無線ＬＡＮリンク７で得られる速度が、所定の閾値より大きい場合（Ｓ７２）、無線ＬＡＮとアソシエーションを行う（Ｓ７３）。
【００３０】
続いて、無線端末１は、中継装置２に対して中継装置２のネットワーク５側のリンク種別を、すなわち、無線リンクと有線リンクのどちらであるかと、無線リンクである場合には達成可能な速度を問い合わせる（Ｓ７４）。中継装置２のネットワーク５側が無線ではない場合、無線端末１の制御部１２は、ネットワーク５内にある図示しないハンドオーバ制御装置と協調してハンドオーバを実行する（Ｓ７５、Ｓ７７）。また、中継装置２のネットワーク５側が無線である場合、中継装置２が通知する、その品質推定部２４が推定した移動通信リンク８の速度を所定の閾値と比較し、閾値より大きい（Ｓ７６）場合、更に、１つネットワーク５側にある中継装置３に、中継装置３のネットワーク５側が無線リンクであるか否か、更に、無線リンクである場合には達成可能な速度を問い合わせる（Ｓ７４）。
【００３１】
この中継装置に対する問い合わせの繰り返しは、無線端末１側に一番近い中継装置から開始して、中継装置のネットワーク側５が有線リンクとなるか、無線リンクであって、所定の閾値以下となるまで繰り返し、有線リンクとなった場合には、ハンドオーバを実行（Ｓ７７）し、無線リンクで得られる速度が所定値以下の場合には、ハンドオーバ制御を行わない。
【００３２】
なお、ハンドオーバ開始のトリガは、現在接続している無線リンクの受信レベルの低下ではなく、他の無線リンクの存在を認識したことであっても良い。また、品質情報として、速度情報以外に例えば遅延情報や、エラーレート情報等も利用可能であり、各無線リンクに異なる閾値を適用してもよい。更に、エラーレートや遅延情報を品質情報として使用する場合等においては、無線端末側から各無線リンクの品質情報の累積値を計算していき、その累積値が所定の基準を満たさなくなった場合にはハンドオーバを行わず、所定の基準を満たす範囲で有線リンクに達した場合にハンドオーバを行う構成であっても良い。
【００３３】
また、ハンドオーバ先の無線アクセス伝送路の、無線端末１が直接終端する無線リンクが移動通信リンクである場合、無線端末１は、中継装置２と同様の方法にて移動通信リンクの品質推定を行う。すなわち、無線端末１にも図示しない履歴蓄積部を設けて、例えば、ＣＩＲ値と速度の関係の履歴を保存する。この履歴の蓄積については、移動通信リンクを終端する対向側中継装置の異同に係らず、単に、ＣＩＲ値と速度の関係として蓄積していく方法で良い。しかしながら、対向側中継装置が送信する同報信号に基づき、対向側中継装置を、例えば、その識別子や所在エリアにより区別して蓄積し、移動通信リンクで得られる品質推定には、対象としている中継装置の識別子又は所在エリアを考慮して行うことにより速度推定の精度を高めることが可能となる。
【００３４】
更に、無線リンクは、移動通信リンク及び無線ＬＡＮリンクに限定されず、その他の無線リンク、例えば、衛星通信システムによる無線リンクを使用することもできる。例えば、中継装置２が衛星通信システムによる無線リンクで、対向側地球局装置を介してネットワーク５に接続する場合、衛星通信システムによる無線リンクで得られる速度は固定的と看做すことが可能であるため、中継装置２の速度推定機能を省略可能である。もちろん、移動通信リンクと同様の方法にて速度推定を行っても良い。
【００３５】
以上、ハンドオーバ対象の無線アクセス伝送路が、複数の異なる無線システムによる無線リンクで構成されていたとしても、無線アクセス伝送路の品質を考慮したハンドオーバ適否の判断が可能になる。本発明において、無線端末１及び中継装置２は、無線リンクの確立前に、無線システムの他の無線装置が送信する信号を監視して速度推定を行うため、不必要な無線リソースの消費を防ぐことができる。
【００３６】
また、ハンドオーバ可否を無線端末１側で判定する構成であるため、ハンドオーバに伴うネットワーク５との情報のやり取りが少なく、特に、衛星通信システムといった遅延の大きな無線システムを使用している場合には、ハンドオーバ可否の判定までに要する時間を短縮することが可能になる。
【００３７】
なお、無線端末１及び中継装置２に、他の装置が送信する無線信号の監視による品質推定機能がなく、実際に無線リンクを確立することにより、あるいは、信号を送信することにより品質情報を得る構成であっても良い。
【００３８】
例えば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）におけるスループットは、ウインドウサイズを往復遅延時間で除することにより求めることができるため、無線端末１は、中継装置２に対してＩＣＭＰ（Ｉｎｔｅｒｎｅｔ  Ｃｏｎｒｏｌ  Ｍｅｓｓａｇｅ  Ｐｒｏｔｏｃｏｌ）エコーパケットを送信して、中継装置２までの往復遅延時間を測定して速度推定を行っても良い。
【００３９】
この場合においても、無線アクセス伝送路で得られる品質を考慮したハンドオーバ可否の判定が可能であり、ハンドオーバ可否を無線端末１側で判定する構成であるため、ハンドオーバに伴うネットワーク５との情報のやり取りが少ないという利点がある。
【００４０】
なお、単一無線リンクで構成される無線アクセス伝送路からハンドオーバする形態にて説明をしたが、本発明は、当然、複数無線リンクで構成される無線アクセス伝送路からのハンドオーバにも適用可能である。
【００４１】
図４は、本発明による他の実施形態におけるシステム構成図である。図４によると、システムは、図１の構成に加えて更にネットワーク５に接続する管理装置９を備えている。図５は、本発明による管理装置９のブロック図である。図５によると、管理装置９は、通信部９１と、制御部９２と、ハンドオーバ制御部９３と、品質情報管理部９４と、品質情報データベース９５とを備えている。
【００４２】
本実施形態において、中継装置２は、定期的に推定した品質情報を管理装置９に送信する。なお、品質推定機能のない中継装置２は、実際の接続時の品質情報を管理装置９に送信する。管理装置９の品質情報管理部９４は、受信した品質情報を各無線リンクに対応づけて品質情報データベース９５に保存し、通信部９１は、ネットワーク５経由による各通信装置との通信処理を行い、制御部９２は、管理装置９の各部の制御を行う。
【００４３】
本実施形態において、無線端末１は、ハンドオーバ対象の無線アクセス伝送路の自端末が終端する無線リンクの品質が所定の基準を満たすとき、ハンドオーバ可否、つまり、対向側中継装置よりネットワーク側にある各無線リンクの品質が所定の基準を満たすか否かを、管理装置９に問い合わせる。管理装置９のハンドオーバ制御部９３は、無線端末１からの問い合わせを受けた場合、品質情報データベース９５に蓄積されている、無線アクセス伝送路を構成する各無線リンクの品質情報に基づき、当該無線アクセス伝送路が所定の基準又は無線端末１から通知された品質基準を満足しているか否かを判定し、満足している場合には、無線端末１と図示しないハンドオーバ制御装置にハンドオーバ可を通知し、満足していない場合には無線端末１にハンドオーバ不可を通知する。なお、無線アクセス伝送路が単一無線リンクである場合、管理装置９は、常に、ハンドオーバ可を通知する。
【００４４】
なお、上記実施形態において、無線端末１は、自端末が終端する無線リンクの品質が所定の基準を満たすか否かについては、自端末にて判定をしていた。総ての判定を管理装置９に行わせるために、無線端末１又は無線端末１と対向する中継装置が、無線端末１により終端される無線リンクについての品質を、無線リンクを確立する度に管理装置９に送信することも可能である。この場合、管理装置９は、無線リンクの品質を中継装置と対応づけて品質情報管理部９４に保存する。管理装置９は、無線端末１から問い合わせを受けた場合、無線端末１と中継装置との無線リンクについては、その中継装置が過去に確立した、同一及び異なる無線端末との無線リンクの品質履歴に基づき品質を推定し、その他の無線リンクについては上述したのと同じ方法にてハンドオーバ対象の無線アクセス伝送路が所定の基準を満たすか否かを判定する。
【００４５】
以上、本実施形態においては、中継装置２、更には無線端末１が品質情報を管理装置９に送信し、無線端末１ではなく、管理装置９がハンドオーバ可否を判定する。これにより、従来設備の簡易な変更にて本発明によるハンドオーバ方法を実現することができる。
【図面の簡単な説明】
【００４６】
【図１】本発明による無線ハイブリッドアクセスシステムのシステム構成図である。
【図２】本発明による無線端末１のブロック図である。
【図３】本発明による中継装置２のブロック図である。
【図４】本発明による他の実施形態におけるシステム構成図である。
【図５】本発明による管理装置９のブロック図である。
【図６】無線ＬＡＮリンクのスループットの推定を説明する図である。
【図７】本発明によるハンドオーバ方法のフローチャートである。
【図８】本発明の課題を説明する図である。
【符号の説明】
【００４７】
１  無線端末
２、３、４  中継装置
５  ネットワーク
６、８  移動通信リンク
７  無線ＬＡＮリンク
９  管理装置
１０  有線リンク
１１、１３、２１、２３  無線通信部
１２、２２、９２  制御部
１４、２４  品質推定部
２５  履歴蓄積部
９１  通信部
９３  ハンドオーバ制御部
９４  速度情報管理部
９５  速度情報データベース
【図１】
2009027227.tif 000003
【図２】
2009027227.tif 000004
【図３】
2009027227.tif 000005
【図４】
2009027227.tif 000006
【図５】
2009027227.tif 000007
【図６】
2009027227.tif 000008
【図７】
2009027227.tif 000009
【図８】
2009027227.tif 000010